(57)【特許請求の範囲】
【請求項１】
金属板を曲げ加工して成り、軒先に配置される軒先配置部材の取り付けに用いられ、この取り付けに際して上記軒先配置部材の荷重を一時的に受ける取付具であって、
上記金属板の一部からなる釘形状部、または締結部材が装着される上記金属板の一部からなる装着部を有し、垂木に固定するための固定部と、
上記垂木の先端面から突出する上記金属板の一部からなり、上記軒先配置部材の上端よりも上方に位置し当該軒先配置部材を引っ掛けによって仮支持する仮支持部と、
上記垂木に接触する上記金属板の一部からなり、当該垂木を基準に上記仮支持部の位置を規定する位置規定部と、
を備えることを特徴とする取付具。
【請求項２】
請求項１に記載の取付具において、上記位置規定部として、上記垂木の下面に接触する接触片を備えることを特徴とする取付具。
【請求項３】
請求項１または請求項２に記載の取付具において、上記位置規定部として、上記垂木の先端面に接触する接触片を備えることを特徴とする取付具。
【請求項４】
請求項１〜請求項３のいずれか１項に記載の取付具において、上記仮支持部に当該仮支持部で支持される部材の滑りを止める滑り止め部が形成されていることを特徴とする取付具。
【請求項５】
金属板を曲げ加工して成り、軒先に配置される軒先配置部材の仮支持に用いられ、仮支持後に上記軒先配置部材から取り外される施工治具であって、
上記金属板の一部からなり、上記軒先配置部材を下から受ける受け部と、
上記金属板の一部が上記軒先配置部材の長手方向に突出してなり、上記軒先配置部材の上端よりも上方に位置し当該軒先配置部材の吊り下げに用いる引っ掛け部と、
を備えることを特徴とする施工治具。
【請求項６】
請求項５に記載の施工治具において、上記金属板の一部からなり、垂木に接触することで上記軒先配置部材の上端位置を決める高さ合せ部を備えることを特徴とする施工治具。
【請求項７】
軒先に配置される軒先配置部材の取り付けに用いられる取付具であって、垂木に固定するための固定部と、上記軒先配置部材を仮支持する仮支持部と、上記垂木を基準に上記仮支持部の位置を規定する位置規定部と、を備える取付具を、垂木に固定する工程と、
上記の固定された取付具の仮支持部に、
軒先に配置される軒先配置部材の仮支持に用いられる施工治具であって、上記軒先配置部材を受ける受け部と、吊り下げに用いる引っ掛け部とを備える施工治具、
または
軒先に配置される軒先配置部材の仮支持に用いられる施工治具であって、上記軒先配置部材を受ける受け部と、吊り下げに用いる引っ掛け部と、垂木に接触することで上記軒先配置部材の上端位置を決める高さ合せ部と備える施工治具、
が装着された軒先配置部材を、上記施工治具における引っ掛け部を上記仮支持部に引っ掛けて仮支持する工程と、
上記軒先配置部材を上記垂木に留め付ける工程と、
上記施工治具を取り外す工程と、
を有することを特徴とする軒先配置部材の取付方法。
【発明の詳細な説明】
【技術分野】
【０００１】
この発明は、軒先に配置される軒先配置部材の取り付けに用いられる取付具、施工治具および軒先配置部材の取付方法に関する。
【背景技術】
【０００２】
特許文献１には、図１５に示すように、建物の軒１０５に沿って配置される軒下換気装置１０１が開示されている。上記軒下換気装置１０１から取り入れられた外気は、軒先に配置される破風板１５３を支持する軒先配置部材（破風下地）１５４の上側と野地板１５１の下側の間に形成される空間部を通り、垂木１５５の側へと進む。上記軒先配置部材１５４の屋内側の面には段部１５４ａが形成されており、この段部１５４ａに垂木１５５の先端側の下端部を係合させている。上記段部１５４ａによって、上記軒先配置部材１５４の上端位置が決まり、換気路として必要な大きさの空間部を高精度で確保することができる。
【先行技術文献】
【特許文献】
【０００３】
【特許文献１】特開２０１４−１９００８０号公報
【発明の概要】
【発明が解決しようとする課題】
【０００４】
しかしながら、従来工法においては、上記軒先配置部材１５４を一方の手で下から支えながら他方の手でビスを打ち込んで上記軒先配置部材１５４を上記垂木に１５５に固定する作業が行われる。上記軒先配置部材１５４は、例えば３６４０ｍｍといった長尺物であるため、上記固定作業の作業負荷は大きくなる。
【０００５】
この発明は、上記の事情に鑑み、上記軒先配置部材の取り付けの作業に役立つ取付具、施工治具および軒先配置部材の取付方法を提供することを課題とする。
【課題を解決するための手段】
【０００６】
この発明の取付具は、上記の課題を解決するために、軒先に配置される軒先配置部材の取り付けに用いられる取付具であって、垂木に固定するための固定部と、軒先配置部材を仮支持する仮支持部と、上記垂木を基準に上記仮支持部の位置を規定する位置規定部と、を備えることを特徴とする。
【０００７】
上記の構成であれば、上記固定部にて上記取付具を上記垂木に固定した状態で、上記位置規定部によって上記垂木を基準に上記仮支持部の位置を規定することができる。そして、上記仮支持部によって、上記軒先配置部材の仮支持を行うことが可能となるので、上記軒先配置部材の取り付けの作業負担を軽減することができる。
【０００８】
上記位置規定部として、上記垂木の下面に接触する接触片を備えてもよい。これによれば、上記接触片を上記垂木の下面に接触させる操作により、上記垂木を基準に上記仮支持部の鉛直方向位置を規定することが簡単に行える。
【０００９】
上記位置規定部として、上記垂木の先端面に接触する接触片を備えてもよい。これによれば、上記接触片を上記垂木の先端面に接触させる操作により、上記垂木を基準に上記仮支持部の水平方向位置を規定することが簡単に行える。また、上記垂木の下面および先端面の両方に接触すると、より正確な位置規定が簡単に行えることになる。
【００１０】
上記仮支持部に滑り防止部が形成されていてもよい。これによれば、上記仮支持部に引っ掛けられる部材の滑り落ちが防止される。
【００１１】
また、この発明の施工治具は、軒先に配置される軒先配置部材の仮支持に用いられる施工治具であって、上記軒先配置部材を受ける受け部と、吊り下げに用いる引っ掛け部とを備えることを特徴とする。上記の構成であれば、上記引っ掛け部を垂木側に引っ掛けることで、上記軒先配置部材の仮支持を簡単に行うことができる。
【００１２】
また、この発明の施工治具は、軒先に配置される軒先配置部材の仮支持および高さ合せに用いられる施工治具であって、上記軒先配置部材を受ける受け部と、吊り下げに用いる引っ掛け部と、垂木に接触することで上記軒先配置部材の上端位置を決める高さ合せ部とを備えることを特徴とする。上記の構成であれば、上記引っ掛け部を垂木側に引っ掛けることで、上記軒先配置部材の仮支持が行える。そして、上記高さ合せ部によって上記垂木を基準に上記軒先配置部材の上端位置が決まり、例えば、上記軒先配置部材の上端側に換気路を形成する場合おいては、当該換気路として必要な大きさの空間部を高精度で確保することができる。また、上記軒先配置部材自体に段部等を形成することによるコスト高を回避できる。
【００１３】
また、この発明の施工治具は、軒先に配置される軒先配置部材の高さ合せに用いられる施工治具であって、上記軒先配置部材を受ける受け部と、垂木に接触することで上記軒先配置部材の上端位置を決める高さ合せ部とを備えることを特徴とする。上記の構成においても、上記高さ合せ部によって上記垂木を基準に上記軒先配置部材の上端位置を決めることができる。
【００１４】
また、この発明の軒先配置部材の取付方法は、上記いずれかの取付具を垂木に固定する工程と、上記の固定された取付具の仮支持部に、上記の施工治具が装着された軒先配置部材を、上記施工治具における引っ掛け部を上記仮支持部に引っ掛けて仮支持する工程と、上記軒先配置部材を上記垂木に留め付ける工程と、上記施工治具を取り外す工程と、を有することを特徴とする。
【００１５】
上記の方法であれば、上記取付具と上記施工治具を用いて垂木に軒先配置部材を簡単に取り付けることができる。上記軒先配置部材の取り付け後には、上記施工治具を取り外すので、この施工治具を再使用することができる。
【発明の効果】
【００１６】
本発明であれば、軒先に配置される軒先配置部材の取り付けの作業に役立つという効果を奏する。
【図面の簡単な説明】
【００１７】
【図１】本発明の実施形態にかかる取付具を垂木に取り付けた状態の建物構造部の一部を示した斜視図である。
【図２】図１に示した取付具と垂木と軒先配置部材の位置関係を示した説明図である。
【図３】図１に示した取付具を示した図であって、同図（Ａ）は側面図、同図（Ｂ）は正面図である。
【図４】図１に示した取付具の斜視図である。
【図５】本発明の実施形態にかかる施工治具で軒先配置部材を仮支持した状態の建物構造部の一部を示した斜視図である。
【図６】図５に示した施工治具と軒先配置部材と垂木の位置関係を示した説明図である。
【図７】図５に示した施工治具を示した図であって、同図（Ａ）は平面図、同図（Ｂ）は側面図、同図（Ｃ）は正面図である。
【図８】図５に示した施工治具の斜視図である。
【図９】同図（Ａ）および同図（Ｂ）は本発明の実施形態にかかる軒先配置部材の取付方法を示した説明図である。
【図１０】同図（Ａ）および同図（Ｂ）は本発明の実施形態にかかる軒先配置部材の取付方法を示した説明図である。
【図１１】本発明の他の実施形態にかかる取付具を示した側面図である。
【図１２】本発明の他の実施形態にかかる取付具を示した側面図である。
【図１３】本発明の他の実施形態にかかる取付具を示した側面図である。
【図１４】同図（Ａ）および同図（Ｂ）は、建物の出隅（放射垂木）用の取付具を示した説明図である。
【図１５】建物の軒先換気部の構造例を示した説明図である。
【発明を実施するための形態】
【００１８】
以下、この発明の実施の形態を添付図面に基づいて説明する。
図１および図２に示すように、この実施形態の取付具１は、建物の軒先に配置される軒先配置部材（破風下地等）４の取り付けのために用いられる。なお、この軒先配置部材４の下面は、軒天板の勾配が屋根勾配と等しくなるように、傾斜面に形成されている。もちろん、このような傾斜面が形成されない軒先配置部材も扱うことができる。
【００１９】
上記取付具１は、金属板を折り曲げ加工して成るものであり、図３（Ａ）、図３（Ｂ）および図４にも示すように、本体部１１と、固定部１２と、仮支持部１３と、第１位置規定部１４と、第２位置規定部１５、切り抜き部１６とを備えている。
【００２０】
上記固定部１２は、当該取付具１を建物の垂木３に固定するための部位であり、上記本体部１１の略中央側に設けられている。また、この固定部１２は、上記本体部１１に対する打ち抜き加工および折り曲げ加工によって形成されており、当該本体部１１の面に対して直交する方向に突出した釘形状部からなる。なお、上記垂木３は建築現場で組まれた垂木に限らず、屋根パネルとして組まれている垂木でもよい。すなわち、例えば、工場で屋根パネルを製作するときに、その垂木に上記取付具１を事前に固定しておくことができる。
【００２１】
上記仮支持部１３は、上記垂木３に取り付けられた後述の施工治具２（図５等参照）を支持することができる。上記仮支持部１３は、上記本体部１１の上部箇所から当該本体部１１と同一の面内で突出するように形成されており、当該取付具１が上記垂木３に固定された状態でこの垂木３の先端面から突出することができる。
【００２２】
上記第１位置規定部１４は、上記垂木３の下面を基準にして上記仮支持部１３の鉛直方向位置を規定する。この第１位置規定部１４は、上記本体部１１の下端において折り曲げられて上記垂木３の下面に接触する接触片を備える。この接触片は、上記本体部１１の下端領域のうち、上記垂木３の先端面から遠い側の略半分において形成されており、上記接触片が形成されていない領域においては、上記垂木３の下面が露呈されるようになっている。また、上記第１位置規定部１４の接触片の長さは、上記固定部１２（釘形状部）の長さよりも長くなっている。
【００２３】
上記第２位置規定部１５は、上記垂木３の先端面を基準にして上記仮支持部１３の水平方向位置を規定する。この第２位置規定部１５は、上記本体部１１の上端において折り曲げてられて上記垂木３の先端面に接触する接触片を備える。上記第２位置規定部１５の接触片の長さは、上記固定部１２（釘形状部）の長さよりも長くなっている。
【００２４】
なお、上記第１位置規定部１４の接触片が上記垂木３の下面に接触する状態で、上記第２位置規定部１５の接触片の面は、上記垂木３の先端面に平行に対面する。また、仮に、上記接触片を備えない構成の場合には、上記位置規定部１４、１５はそれぞれ上記本体部１１の縁ラインにより形成されることになるが、上記第１位置規定部１４をなす縁ラインが上記垂木３の下面に平行にされた状態では、上記第２位置規定部１５をなす縁ラインが上記垂木３の先端面に平行に位置する。また、上記接触片を備えない場合には、上記取付具１が回転するおそれがあるので、このような回転が生じないように、例えば、固定部２を複数設ける等するのが望ましい。
【００２５】
上記切り抜き部１６は、上記仮支持部１３の下側の根元部において略円形状に形成されており、上記仮支持部１３の下側に配置される軒先配置部材４の角に上記本体部１１が当たらないようになっている。
【００２６】
図５および図６に示すように、この実施形態の施工治具２は、上記軒先配置部材４の仮支持および高さ合せに用いられる。
【００２７】
上記施工治具２は、金属板を折り曲げ加工して成るものであり、図７（Ａ）、図７（Ｂ）、図７（Ｃ）および図８に示すように、本体部２１と、受け部２２と、引っ掛け部２３と、高さ合せ部２４とを備える。
【００２８】
上記受け部２２は、上記軒先配置部材４を下から受け止めるように、上記本体部２１の下端側において折り曲げ加工によって形成されており、当該本体部２１の面に対して直交する方向に折り曲げられた部位と、この部位の先端側で上記本体部２１の面と略平行となるように上側に折り曲げられた部位とからなる。
【００２９】
上記引っ掛け部２３は、当該施工治具２の吊り下げ（施工治具２で受け止められている上記軒先配置部材４の吊り下げ）に用いられる部位であり、上記本体部２１の上部側で横方向（上記軒先配置部材４の長手方向）に突出して形成されている。また、この引っ掛け部２３は、上記本体部２１から段部を介して突出されている。上記段部が形成されていることにより、上記軒先配置部材４の室内側面が上記垂木３の先端面に接触する状態において、上記引っ掛け部２３が上記第２位置規定部１５に干渉せずに位置することができ、これにより、上記引っ掛け部２３を上記仮支持部１３に適切に引っ掛けることができる。また、上記引っ掛け部２３の下縁から、当該施工治具２で受け止められている上記軒先配置部材４の上端面までの間隔は、上記取付具１の仮支持部１３の高さよりも大きくされる。
【００３０】
上記高さ合せ部２４は、上記垂木３の下面に接触することで上記軒先配置部材４の鉛直方向位置（上端面位置）を決める部位であり、上記本体部２１の中程の位置において斜め方向（上記垂木３の下面と略平行）に突出して形成されている。また、この突出部の先端部は、上方に折り曲げ形成され、上記垂木３の下面に接触するようになっている。なお、上記高さ合せ部２４は、上記取付部１の第１位置規定部１４の接触片の下面に接触して上記軒先配置部材４の鉛直方向位置（上端面位置）を決めるようになっていてもよい。
【００３１】
次に、上記取付具１および上記施工治具２を用いるこの実施形態の軒先配置部材の取付方法について、図９（Ａ）、図９（Ｂ）、図１０（Ａ）および図１０（Ｂ）を参照して説明していく。
【００３２】
例えば、建築現場において、作業者は、上記取付具１の上記固定部１２を上記垂木３の側面に当てて、ハンマーＨによって上記固定部１２を上記垂木３の側面に打ち込む。この実施形態では、１本の軒先配置部材４について２個の取付具１を設けるようにしている。また、上記第１位置規定部１４および上記第２位置規定部１５の接触片の長さは、上記固定部１２（釘形状部）の長さよりも長くされており、上記固定部１２の先端が上記垂木３の側面に当たる状態で、上記第１位置規定部１４および上記第２位置規定部１５の各々の接触片を垂木３の下面および先端面に接触させることができる。
【００３３】
そして、作業者は、上記の施工治具２が装着された軒先配置部材４を持ち上げて、上記の固定された取付具１の仮支持部１３に、上記施工治具２における引っ掛け部２３を上記仮支持部１３に引っ掛けることで仮支持する。作業者は、上記軒先配置部材４が引っ掛けられていることで、この軒先配置部材４から手を離すことができ、別の作業に取りかかることもできる。なお、この例における仮支持状態においては、上記高さ合せ部２４と上記垂木３の下面との間には、隙間（クリアランス）が形成される。
【００３４】
次に、作業者は、上記仮支持されている軒先配置部材４を上記垂木３にビス等を用いて留め付ける。このとき、作業者が上記軒先配置部材４を持ち上げることよって、上記高さ合せ部２４と上記垂木３の下面との間の隙間が無くなり、上記軒先配置部材４の高さ合せ（位置決め）が行われる。
【００３５】
上記軒先配置部材４を上記垂木３に固定した後、作業者は、上記施工治具２を上記軒先配置部材４の長手方向にずらし、当該施工治具２を取り外す。
【００３６】
上記の構成であれば、上記固定部１２にて上記取付具１を上記垂木３に固定した状態で、上記位置規定部１４、１５によって上記垂木３を基準に上記仮支持部１３の位置を規定することができる。そして、上記仮支持部１３によって、上記軒先配置部材４の仮支持を行うことができるので、上記軒先配置部材４の取り付けの作業負担を軽減することができる。
【００３７】
上記位置規定部１４、１５として、上記垂木３に接触する接触片を備えていると、上記接触片を上記垂木３の下面や先端面に接触させる操作により、上記垂木３を基準に上記仮支持部１３の位置を規定する状態を簡単に形成できる。また、上記垂木３の下面および先端面の両方に接触すると、より正確な位置規定が簡単に行えることになる。
【００３８】
また、上記施工治具２によれば、上記引っ掛け部２３を垂木３側に引っ掛けることで、上記軒先配置部材４の仮支持が行える。そして、上記高さ合せ部２４によって上記垂木３を基準に上記軒先配置部材４の上端位置が決まり、例えば、上記軒先配置部材４の上端側に換気路を形成する場合おいて、当該換気路として必要な大きさの空間部を高精度で確保することができる。また、上記軒先配置部材４自体に段部等を形成することによるコスト高を回避できる。
【００３９】
また、上記軒先配置部材４の取付方法であれば、上記取付具１と上記施工治具２を用いて上記垂木３に上記軒先配置部材４を簡単に取り付けることができる。上記軒先配置部材４の取付後には、上記施工治具２を取り外すので、この施工治具２を再使用することができる。
【００４０】
図１１に示すように、上記取付具１の他の態様として、上記仮支持部１３の上辺部に例えば凹形状の滑り止め部１３ａが形成されていてもよい。これによれば、上記仮支持部１３によって仮支持される上記軒先配置部材４の滑り落ちを防止することができる。
【００４１】
また、図１２に示すように、上記取付具１の他の態様として、上記固定部１２は螺子等の締結部材１２１が装着される締結部材装着部１２Ａであってもよい。この締結部材装着部１２Ａは、例えば、上記締結部材１２１が挿通される挿通孔として形成される。また、上記取付具１の他の態様として、上記第１位置規定部１４の接触片が上記本体部１１の下端の全領域において形成されていてもよい。この場合、上記施工治具２の高さ合せ部２４が上記接触片に当たるので、この接触片の厚みを加味して上記高さ合せ部２４の上端位置を設定する。
【００４２】
また、図１３に示すように、上記取付具１の他の態様として、上記第２位置規定部１５が接触片を有しない構造としてもよく、このような取付具１は、図１４（Ａ）および図１４（Ｂ）に示すように、出隅（放射垂木）に対して用いるのに好適となる。
【００４３】
なお、図示しないが、上記固定部１２としての締結部材装着部１２Ａ（挿通孔）を上記第１位置規定部１４の接触片に形成し、上記締結部材１２１を垂木３の下面にねじ込むようにしてもよい。
【００４４】
また、垂木および野地板を備える屋根パネルを工場で製作する場合、上記締結部材装着部１２Ａおよび上記締結部材１２１を用いる方が、当該屋根パネルを搬送するときに取付具１の脱落を防止する上で望ましい。
【００４５】
上記施工治具２においては、引っ掛け部２３および高さ合せ部２４を備えたが、これに限らず、高さ合せ部２４を備えない構成を採用できる。この高さ合せ部２４を備えない施工治具２においては、上記軒先配置部材４の屋内側の面に従来と同様に段部を形成することとしてもよい。或いは、上記取付部１の仮支持部１３の下辺位置が高さ合せ機能を持つようにしてもよい。すなわち、上記軒先配置部材４の上端面を上記仮支持部１３の下辺に当てることで、上記軒先配置部材４の上端面の位置規定が行えるようにしてもよい。ただし、この構造においても、上記高さ合せ部２４と同等の形状の部位を設けておくことにより、上記軒先配置部材４を持ち上げたときに、この軒先配置部材４が垂木３の先端面から離れる不具合（転け）を抑制することができる。
【００４６】
また、上記施工治具２の他の態様として、引っ掛け部２３を備えず、高さ合せ部２４を備える構成を採用できる。このような構成であれば、上記軒先配置部材４の仮支持は行えないものの、上記高さ合せ部２４によって上記軒先配置部材４の高さ合せが簡単に行えることになる。また、上記軒先配置部材４自体に段部等を形成することによるコスト高を回避できる。
【００４７】
また、上記施工治具２の上記受け部２２に弾性体を設けておき、この弾性体で上記軒先配置部材４を受けるようにしておくと、この弾性体の弾性力で上記軒先配置部材４の上端面を上記仮支持部１３の下辺に押し当て、上記軒先配置部材４の上端面の位置規定が行えるようにしてもよい。
【００４８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４９】
１        ：取付具
２        ：施工治具
３        ：垂木
４        ：軒先配置部材
１１      ：本体部
１２      ：固定部
１２Ａ    ：締結部材装着部（固定部）
１３      ：仮支持部
１３ａ    ：滑り止め部
１４      ：第１位置規定部
１５      ：第２位置規定部
１６      ：切り抜き部
２１      ：本体部
２２      ：受け部
２３      ：引っ掛け部
２４      ：高さ合せ部
１２１    ：締結部材
【図１】
0006742714.tif 000002
【図２】
0006742714.tif 000003
【図３】
0006742714.tif 000004
【図４】
0006742714.tif 000005
【図５】
0006742714.tif 000006
【図６】
0006742714.tif 000007
【図７】
0006742714.tif 000008
【図８】
0006742714.tif 000009
【図９】
0006742714.tif 000010
【図１０】
0006742714.tif 000011
【図１１】
0006742714.tif 000012
【図１２】
0006742714.tif 000013
【図１３】
0006742714.tif 000014
【図１４】
0006742714.tif 000015
【図１５】
0006742714.tif 000016